(57)【要約】【課題】粉体の振り出し量を正確に規定できて、使い易さを長期間維持できる粉体用容器を得る。【解決手段】上蓋３の回動軸２０に固定されるカップ支持体６を有する。カップ支持体６には、計量カップ５を組み付ける。容器本体１内の粉体Ｐは、下蓋２の内部空間２２を介して計量カップ５内に導き入れられたのち、容器本体１を下側にした状態で上蓋３を回転することにより、上蓋３の取出口２７を下蓋２の連通口２５に対面させる。このとき、計量カップ５内および隔離空間２３が隔壁２１によって容器本体１の内部空間および下蓋２の内部空間２２から隔離されるとともに、隔離空間２３の下面が計量カップ５の上面開口に連通する。下蓋２の隔壁２１で計量カップ５の上面に盛り上がった粉体Ｐの余剰部分を計量カップ５の外方へ振り払い、計量カップ５の容量分だけの粉体Ｐが取出口２７から振り出せるようにする。【選択図】図１
0003113217.tif 000002
【実用新案登録請求の範囲】
【請求項１】
粉体（Ｐ）が入る容器本体（１）の上端開口部に嵌合する下蓋（２）と、
周側壁（２６）に粉体（Ｐ）の取出口（２７）を有するとともに、下蓋（２）に対して回転可能な状態で外嵌する上蓋（３）と、
上面が開口する計量カップ（５）と、
下蓋（２）の内側に配されて、上蓋（３）の天板（１９）の内面中央に設けた回動軸（２０）に固定されるとともに、計量カップ（５）が組み付けられたカップ支持体（６）とを備えており、
下蓋（２）は、計量カップ（５）内に粉体（Ｐ）を導き入れるための内部空間（２２）を有するとともに、その内部空間（２２）の一部を隔離して隔離空間（２３）を形成する隔壁（２１）を備えていて、その隔離空間（２３）の下面が計量カップ（５）の上面開口に連通可能であり、
下蓋（２）の周側壁（１３）には、隔離空間（２３）に臨む連通口（２５）が設けられていて、その連通口（２５）に上蓋（３）の取出口（２７）が対面可能になっており、
上蓋（３）の取出口（２７）が下蓋（２）の連通口（２５）に対面したときには、計量カップ（５）内および隔離空間（２３）が隔壁（２１）によって容器本体（１）の内部空間および下蓋（２）の内部空間（２２）から隔離されているとともに、隔離空間（２３）の下面が計量カップ（５）の上面開口に連通しており、
容器本体（１）を上側にしたのちに下側にして、容器本体（１）内の粉体（Ｐ）を下蓋（２）の内部空間（２２）を介して計量カップ（５）内に導き入れたのち、容器本体（１）を下側にした状態で上蓋（３）を回転操作すると、下蓋（２）の隔壁（２１）で計量カップ（５）の上面に盛り上がった粉体（Ｐ）の余剰部分が計量カップ（５）の外方へ振り払われるとともに、上蓋（３）の取出口（２７）が下蓋（２）の連通口（２５）に対面して、計量カップ（５）の容量分だけの粉体（Ｐ）を取出口（２７）から振り出せるようにしたことを特徴とする粉体用容器。
【請求項２】
下蓋（２）の上壁（１２）の内面中央に、嵌合筒（１６）が下向きに突出形成されていて、嵌合筒（１６）に形成した貫通孔（１７）が上壁（１２）まで貫通しており、
その貫通孔（１７）に、上蓋（３）の天板（１９）の内面中央に下向きに突出形成した回動軸（２０）が回転可能な状態で嵌まり込んでおり、
カップ支持体（６）の上面に嵌合軸（４６）が上向きに突出形成されており、
上蓋（３）の回動軸（２０）に係合孔（４７）が設けられていて、この係合孔（４７）にカップ支持体（６）の嵌合軸（４６）が抜け止め状に嵌合係止されている請求項１記載の粉体用容器。
【請求項３】
計量カップ（５）は、カップ本体（３２）の周側壁（３３）のうち、下蓋（２）の内面側に位置する外周側壁部分（３５）の上端が上蓋（３）の取出口（２７）の下端に近接しているとともに、外周側壁部分（３５）を除く周側壁（３３）の外面にフランジ（３７）が外向きに張り出し形成されており、
フランジ（３７）には、止め孔（４０）が設けられていて、その止め孔（４０）に、カップ支持体（６）に設けた突起（４１）が抜け止め状に嵌合係止されている請求項２記載の粉体用容器。
【請求項４】
カップ支持体（６）は、突起（４１）が配されて計量カップ（５）が組み付けられる受け枠部（４２）と、下蓋（２）の周側壁（１３）の内面に沿って形成されて受け枠部（４２）に繋がる外周部（４３）と、受け枠部（４２）とは反対側に延びて受け枠部（４２）と外周部（４３）とに繋がる補強部（４５）とを含み、外周部（４３）と受け枠部（４２）と補強部（４５）とで囲まれる部分が開口しており、
計量カップ（５）のフランジ（３７）の止め孔（４０）にカップ支持体（６）の受け枠部（４２）の突起（４１）が嵌合係止したときには、計量カップ（５）の上面が下蓋（２）の隔壁（２１）の下面と同一高さになる請求項３記載の粉体用容器。
【請求項５】
計量カップ（５）のフランジ（３７）は、平面視でＵ字状に形成されており、
カップ支持体（６）の受け枠部（４２）は、カップ支持体（６）の中央部から周辺に向けて二股状に延びて、計量カップ（５）のフランジ（３７）と同一のほぼＵ字状に形成されており、
計量カップ（５）は、底面壁（３６）から上方へ行くに従って上拡がり状に傾斜して、上蓋（３）の取出口（２７）の下端に近接する外周側壁部分（３５）を有し、
外周側壁部分（３５）の外側には、これの上端からスカート（３９）が下向きに連設されている請求項４記載の粉体用容器。
【請求項６】
上蓋（３）の天板（１９）の外周寄りの箇所であって、天板（１９）の中央から見て取出口（２７）と同一方向に窓（２９）が形成されており、
下蓋（２）の上壁（１２）の外周寄りの箇所であって、上壁（１２）の中央から見て連通口（２５）と同一方向に、粉体（Ｐ）の振り出し位置を示す目印（３０）が配されており、
窓（２９）を目印（３０）に合わせたときに、上蓋（３）の取出口（２７）が下蓋（２）の連通口（２５）に対面している請求項５記載の粉体用容器。
【請求項７】
下蓋（２）は、ねじ作用で容器本体（１）の上端開口部に嵌合する請求項６記載の粉体用容器。
【考案の詳細な説明】
【技術分野】
【０００１】
本考案は、調味料や粉せっけんなどの粉体を入れる粉体用容器に係り、１回ごとの振り出し量を正確に規定できる粉体用容器を提供するにある。
【背景技術】
【０００２】
特許文献１〜４に示すごとく、容器本体の開口部に取り付けられる蓋に、粉体を一定量だけ振り出すための計量室を設けた粉体用容器が知られている。
【０００３】
【特許文献１】特開２００１−２３３３６９号公報（図１）
【特許文献２】特開平８−７２９１４号公報（図２−４）
【特許文献３】実開昭４９−１３１２４５号公報（第１−１１図）
【特許文献４】実開平５−７５１５１号公報（図１−２）
【考案の開示】
【考案が解決しようとする課題】
【０００４】
特許文献１〜４の粉体用容器では、蓋を下側にした状態で回転操作して、遮蔽壁で計量室へ流入しようとする粉体を強制的に遮断するために、その蓋の回転操作時に遮蔽壁と計量室の縁との間に粉体が入り込み易い。このため、遮蔽壁と計量室の縁との間に粉体が詰まって蓋が回転し難くなり、短期間で粉体用容器の使い勝手が悪くなりがちである。
【０００５】
しかも、特許文献１〜４の粉体用容器では、粉体の振り出し量を変えることができない。したがって、使用目的などに応じて粉体の振り出し量を変えたい場合には、数種類の粉体用容器を用意しなければならなかった。
【０００６】
本考案の目的は、粉体の振り出し量を正確に振り出せながら、粉体の振り出し量を変えることもでき、かつ使い易さを長期間維持できる粉体用容器を提供することにある。
【課題を解決するための手段】
【０００７】
本考案に係る粉体用容器は、図１に示すごとく、粉体Ｐが入る容器本体１の上端開口部に嵌合する下蓋２と、周側壁２６に粉体Ｐの取出口２７を有するとともに、下蓋２に対して回転可能な状態で外嵌する上蓋３と、上面が開口する計量カップ５と、下蓋２の内側に配されて、上蓋３の天板１９の内面中央に設けた回動軸２０に固定されるとともに、計量カップ５が組み付けられたカップ支持体６とを備えている。
【０００８】
下蓋２は、計量カップ５内に粉体Ｐを導き入れるための内部空間２２を有するとともに、その内部空間２２の一部を隔離して隔離空間２３を形成する隔壁２１を備えていて、その隔離空間２３の下面が計量カップ５の上面開口に連通可能である。下蓋２の周側壁１３には、隔離空間２３に臨む連通口２５が設けられていて、その連通口２５に上蓋３の取出口２７が対面可能になっている。上蓋３の取出口２７が下蓋２の連通口２５に対面したときには、計量カップ５内および隔離空間２３が隔壁２１によって容器本体１の内部空間および下蓋２の内部空間２２から隔離されているとともに、隔離空間２３の下面が計量カップ５の上面開口に連通している。
【０００９】
図６に示すごとく、容器本体１を上側にしたのちに下側にして容器本体１内の粉体Ｐを下蓋２の内部空間２２を介して計量カップ５内に導き入れたのち、容器本体１を下側にした状態で上蓋３を回転操作すると、図７に示すごとく、下蓋２の隔壁２１で計量カップ５の上面に盛り上がった粉体Ｐの余剰部分が計量カップ５の外方へ振り払われるとともに、上蓋３の取出口２７が下蓋２の連通口２５に対面して、計量カップ５の容量分だけの粉体Ｐを取出口２７から振り出せるようにしてある。ここでの容器本体１は、円筒形であることを要しない。計量カップ５は、カップ支持体６に対して着脱できるものであればよく、接着性の弱い接着剤などで組み付けてもよい。
【００１０】
具体的にみると、図１および図２に示すごとく、下蓋２の上壁１２の内面中央に、嵌合筒１６が下向きに突出形成されていて、嵌合筒１６に形成した貫通孔１７が上壁１２まで貫通しており、その貫通孔１７に、上蓋３の天板１９の内面中央に下向きに突出形成した回動軸２０が回転可能な状態で嵌まり込んでいる。カップ支持体６の上面に嵌合軸４６が上向きに突出形成されており、上蓋３の回動軸２０に係合孔４７が設けられていて、この係合孔４７にカップ支持体６の嵌合軸４６が抜け止め状に嵌合係止されている。
【００１１】
計量カップ５は、カップ本体３２の周側壁３３のうち、下蓋２の内面側に位置する外周側壁部分３５の上端が上蓋３の取出口２７の下端に近接しているとともに、外周側壁部分３５を除く周側壁３３の外面にフランジ３７が外向きに張り出し形成されており、フランジ３７には、止め孔４０が設けられていて、その止め孔４０に、カップ支持体６に設けた突起４１が抜け止め状に嵌合係止されている。
【００１２】
カップ支持体６は、突起４１が配されて計量カップ５が組み付けられる受け枠部４２と、下蓋２の周側壁１３の内面に沿って形成されて受け枠部４２に繋がる外周部４３と、受け枠部４２とは反対側に延びて受け枠部４２と外周部４３とに繋がる補強部４５とを含み、外周部４３と受け枠部４２と補強部４５とで囲まれる部分が開口しており、計量カップ５のフランジ３７の止め孔４０にカップ支持体６の受け枠部４２の突起４１が嵌合係止したときには、計量カップ５の上面が下蓋２の隔壁２１の下面と同一高さになる。
【００１３】
計量カップ５のフランジ３７は、平面視でＵ字状に形成されており、カップ支持体６の受け枠部４２は、カップ支持体６の中央部から周辺に向けて二股状に延びて、計量カップ５のフランジ３７と同一のほぼＵ字状に形成されており、計量カップ５は、底面壁３６から上方へ行くに従って上拡がり状に傾斜して、上蓋３の取出口２７の下端に近接する外周側壁部分３５を有し、外周側壁部分３５の外側には、これの上端からスカート３９が下向きに連設されている。
【００１４】
図５に示すごとく、上蓋３の天板１９の外周寄りの箇所であって、天板１９の中央から見て取出口２７と同一方向に窓２９が形成されており、下蓋２の上壁１２の外周寄りの箇所であって、上壁１２の中央から見て連通口２５と同一方向に、粉体Ｐの振り出し位置を示す目印３０が配されている。窓２９を目印３０に合わせたときには、上蓋３の取出口２７が下蓋２の連通口２５に対面している。目印３０としては、印刷文字や刻印やシールなどが該当する。
【００１５】
下蓋２は、図１に示すごとく、ねじ作用で容器本体１の上端開口部に嵌合する。
【考案の効果】
【００１６】
請求項１記載の本考案によれば、容器本体１を上側にして容器本体１内の粉体Ｐを計量カップ５内に移したのちに、容器本体１を下側にして上蓋３を回転操作することにより、隔壁２１で粉体Ｐの余剰部分を振り払うので、計量カップ５の容量分だけの粉体Ｐを外部に正確に振り出せる。
【００１７】
容器本体１を下側にした状態で上蓋３を回転させるために、隔壁２１の下面と計量カップ５の上縁との間に粉体Ｐが入り込んで詰まることが低減される。したがって、前記粉体Ｐの詰まりによって上蓋３が回転し難くなることが低減され、使い易さを長期間維持できる。そのうえで、計量カップ５を交換することで、粉体Ｐを所望通りの量に規定して振り出すことができる。
【００１８】
請求項２記載の本考案によれば、下蓋２の貫通孔１７に上蓋３の回動軸２０を嵌め込み、上蓋３の回動軸２０の係合孔４７にカップ支持体６の嵌合軸４６を嵌合するだけで、下蓋２と上蓋３とカップ支持体６とが組み上がるために、これらを簡単かつ確実に組み立てることができる。
【００１９】
請求項３記載の本考案によれば、カップ支持体６の突起４１を計量カップ５のフランジ３７の止め孔４０に嵌合係止するだけで、カップ支持体６に計量カップ５を固定できるので、下蓋２と上蓋３とカップ支持体６とを組み上げたのちに、計量カップ５を簡単かつ確実に後組みできる。
【００２０】
請求項４記載の本考案によれば、カップ支持体６が受け枠部４２と外周部４３と補強部４５とで形成されることで、カップ支持体６の強度が高まって、計量カップ５をがたつくことなくしっかりと組み付けることができる。その組み付け状態で計量カップ５の上面が下蓋２の隔壁２１の下面と同一高さになるので、隔壁２１で粉体Ｐの余剰部分を確実に振り払うことができる効果も得られる。
【００２１】
請求項５記載の本考案によれば、計量カップ５の外周側壁部分３５が傾斜して上蓋３の取出口２７の下端に近接するために、外周側壁部分３５を利用して計量カップ５内の粉体Ｐの全量を取出口２７から外部へ円滑に振り出すことができる。しかも、外周側壁部分３５の上端にスカート３９が連設されているので、計量カップ５の強度が高まる効果も得られる。
【００２２】
請求項６記載の本考案によれば、窓２９を介して目印３０が視認できる位置に上蓋３を回転操作するだけで、上蓋３の取出口２７が下蓋２の連通口２５に対面して、計量カップ５内の粉体Ｐを外部に振り出せるので、使用者にとって使い勝手がよい。
【００２３】
請求項７記載の本考案によれば、下蓋２の容器本体１の上端開口部への着脱を容易に行える。
【考案を実施するための最良の形態】
【００２４】
図面は本考案に係る粉体用容器の実施例を示しており、図１および図２に示すごとく、粉体Ｐが入る容器本体１と、容器本体１の上端開口部にねじ作用で嵌合する下蓋２と、下蓋２の上部に対して回転可能な状態で外嵌する上蓋３と、上面が開口する計量カップ５と、下蓋２の内側に配されて計量カップ５が組み付けられるカップ支持体６とを備えている。計量カップ５は、カップ支持体６とは別体につくる。容器本体１、下蓋２、上蓋３、計量カップ５およびカップ支持体６は、いずれもプラスチック成形品である。
【００２５】
容器本体１は、円形状の底壁７の外周から円筒形状の胴壁９が立ち上げ連設された縦長の有底筒形状に形成されており、上端に広口の開口が形成されている。この開口を介して容器本体１内に粉体Ｐを出し入れできる。胴壁９の上端部の外周には、鍔１０が周方向に突出形成されており、鍔１０の上側にねじ部１１が形成されている。粉体Ｐとしては、粉末状の健康食品や調味料や化粧品などを予測している。
【００２６】
下蓋２は、円形状の上壁１２の外周から円筒形状の周側壁１３が下向きに連設されている。下蓋２の周側壁１３の下部は拡径状に形成されており、その下部の内周面に形成したねじ部１５が容器本体１のねじ部１１に螺合して、容器本体１に下蓋２を嵌合装着できる。下蓋２は、計量カップ５内に粉体Ｐを導き入れるため、下面が開口する内部空間２２を有する。
【００２７】
下蓋２の上壁１２の内面中央には、縦長の円形嵌合筒１６が下向きに突出形成されており、嵌合筒１６に形成した断面円形状の貫通孔１７が上壁１２まで貫通している。この貫通孔１７に、上蓋３の円形状の天板１９の内面中央に下向きに突出形成した回動軸２０が上方から回転可能な状態で嵌合している。
【００２８】
下蓋２の上壁１２の内面には、図３に示すごとく、嵌合筒１６から周側壁１３に向けて延びる一対の隔壁２１・２１が下向きに突出形成されている。隔壁２１・２１は、周側壁１３まで延びる途中で屈曲していて、下蓋２の上部の内部空間２２の一部を平面視でほぼＵ字状に囲んで隔離することで隔離空間２３を形成する。隔離空間２３の下面は、計量カップ５の上面開口に連通可能になっており、計量カップ５の上面開口より僅かに大きい、計量カップ５の上面開口とほぼ同一のホームベース状の形状になっている。
【００２９】
下蓋２の周側壁１３の上部であって隔離空間２３に臨む箇所には、図２および図３に示すごとく連通口２５が内外貫通状に形成されている。連通口２５は、図３および図４に示すごとく、周側壁１３において両隔壁２１・２１間にわたって形成した。
【００３０】
上蓋３の天板１９は、図１に示すごとく下蓋２の上面を接合状態で覆っている。上蓋３は、天板１９の外周から下向きに連設された円筒形状の周側壁２６を有しており、下面が開口する短筒形状に形成されている。上蓋３の周側壁２６の下端の一箇所には、図２に示すごとく粉体Ｐの取出口２７が切り欠き形成されており、上蓋３を回転操作すると、取出口２７が下蓋２の連通口２５に対面し（図４の状態）、これで隔離空間２３が容器外に開放される。
【００３１】
上蓋３の取出口２７の周方向寸法は、下蓋２の連通口２５のそれとほぼ同一に設定してあり、取出口２７の上下寸法は、連通口２５のそれよりも小さく寸法設定してある。
【００３２】
上蓋３の天板１９の外周寄りの一箇所であって、天板１９の中央から見て取出口２７と同一方向には、図５に示すごとく上蓋３の周方向に延びる円弧状の窓２９が形成されている。下蓋２の上壁１２の外周寄りの箇所には、上壁１２の中央から見て連通口２５と同一方向に、粉体Ｐの振り出し位置を示す「出し口」の印刷文字（目印）３０や、２箇所の「計量位置」の印刷文字３１を入れてあり、これら印刷文字３０・３１が前記窓２９を介して外側上面から視認することができる。「出し口」の印刷文字３０の下側に、隔離空間２３が位置することになる。
【００３３】
計量カップ５は、五角形状のカップ本体３２の周側壁３３のうち、図１に示すごとく下蓋２の内面側に位置する外周側壁部分３５が、底面壁３６から上方へ行くに従って上拡がり状に傾斜している。外周側壁部分３５の上端は、上蓋３の取出口２７の下端に近接している。前記外周側壁部分３５を除く周側壁３３の外面の上端には、図２に示すごとく、平面視でＵ字状のフランジ３７が外向きに張り出し形成されている。
【００３４】
カップ本体３２の外周側壁部分３５の上側には、これの上端からスカート３９が下向きに連設されており、このスカート３９は、容器本体１の内面に添うよう円弧状に湾曲形成してある。
【００３５】
フランジ３７には、３個の止め孔４０が設けられており、各止め孔４０に、カップ支持体６の受け枠部４２の下面に設けた各突起４１がそれぞれ抜け止め状に嵌合係止している。
【００３６】
受け枠部４２は、カップ支持体６の中央部から周辺に向けて二股状に延びていて、計量カップ５のフランジ３７と同一のほぼＵ字状に形成されている。各突起４１をフランジ３７の各止め孔４０にそれぞれ嵌合係止したときには、図１に示すごとく、受け枠部４２の下面とフランジ３７の上面とが密着して、カップ本体３２の上面と受け枠部４２の上面とがほぼ面一状になる。
【００３７】
カップ支持体６は、図３に示すごとく、下蓋２の周側壁１３の内面に沿ってＣ字状に形成されて、受け枠部４２の周側壁１３側の各端部に繋がる外周部４３と、カップ支持体６の中央部から受け枠部４２とは反対側に延びて受け枠部４２と外周部４３とに繋がる補強部４５とを含む。カップ支持体６の中央部の上面には、嵌合軸４６が上向きに突出形成されている。カップ支持体６は、外周部４３と受け枠部４２と補強部４５とで囲まれる部分が開口している。
【００３８】
上蓋３の回動軸２０には、図１に示すごとく、その軸方向に係合孔４７が設けられており、カップ支持体６の嵌合軸４６が係合孔４７に対して下方から抜け止め状に嵌入係合している。これによって、カップ支持体６は上蓋３に連動して回転する。嵌合軸４６の下側には、突起４１の一つが配されている。
【００３９】
上蓋３を下蓋２にこれの上側から外嵌して、下蓋２の貫通孔１７に上蓋３の回動軸２０を嵌め込んだのち、上蓋３側の係合孔４７にカップ支持体６の嵌合軸４６を嵌め込んで固定する。また、計量カップ５の各止め孔４０にカップ支持体６の各突起４１をそれぞれ嵌合係止して、カップ支持体６に計量カップ５を組み付ける。これによって、下蓋２、上蓋３、計量カップ５およびカップ支持体６が互いに組み付けられる。この組み付け後に、下蓋２を容器本体１の上端開口部にねじ込んで嵌合する。
【００４０】
この状態で、計量カップ５のカップ本体３２の上面が下蓋２の隔壁２１・２１の下面と同一高さになり、上蓋３の取出口２７が下蓋２の連通口２５に対面したときには（図４の状態）、カップ本体３２内および隔離空間２３が、隔壁２１・２１によって容器本体１の内部空間および隔離空間２３を除く下蓋２の内部空間２２から隔離される。
【００４１】
本案容器を使用するときには、容器本体１を下側にした状態で上蓋３を回転操作して、図６に示すごとく上蓋３の窓２９をいずれか一方の「計量位置」の印刷文字３１に合わせる。このとき、下蓋２の連通口２５は上蓋３の周側壁２６で閉じられている。この状態で、容器本体１の天地をいったん逆にして容器本体１を上側にしたのちに、容器本体１が下側になるよう戻す。これで容器本体１内の粉体Ｐは、カップ支持体６の開口および下蓋２の内部空間２２を通って計量カップ５に導き入れられて満杯状態になる。
【００４２】
次に、容器本体１を下側にした状態のまま上蓋３を回転操作して、図７に示すごとく上蓋３の窓２９を「出し口」の印刷文字３０に合わせる。このとき、上蓋３の取出口２７が下蓋２の連通口２５に対面しており、隔離空間２３が容器外に開放される。この状態で容器本体１を傾けると、計量カップ５内の粉体Ｐが、カップ本体３２および連通口２５を介して取出口２７から外部に振り出される。外周側壁部分３５は傾斜しているので、計量カップ５内の粉体Ｐは、滑らかにかつ迅速に振り出される。
【００４３】
この振り出し時には、前述のようにカップ本体３２内および隔離空間２３が、隔壁２１・２１によって容器本体１の内部空間から隔離されているために、容器本体１内の粉体Ｐが、隔離空間２３内に入り込んで余分に振り出されることはない。
【００４４】
前記窓２９を「出し口」の印刷文字３０に合わせるために、上蓋３を回転操作したとき、計量カップ５のカップ本体３２の上面に盛り上がった粉体Ｐの余剰部分は、下蓋２の隔壁２１・２１でカップ本体３２外へ自動的に摺り切られて（図７の状態）、計量カップ５の容量分だけの粉体Ｐが正しく振り出される。
【００４５】
本案容器は、カップ本体３２の上下高さ寸法が異なる計量カップ５を複数種類だけ用意しておいて、粉体Ｐの種類や使用目的に応じて計量カップ５を交換することで、必要な量の粉体Ｐを正しく振り出すことができる。
【００４６】
上蓋３の「計量位置」の印刷文字３１は一つだけでもよいし、設けてなくてもよい。カップ支持体６は、接着剤などで上蓋３の回動軸２０に固定してもよい。粉体Ｐは、粒状のものであってもよい。容器本体１は、透明であってもよい。
【図面の簡単な説明】
【００４７】
【図１】本考案の粉体用容器の縦断側面図
【図２】粉体用容器の構成部材の分解斜視図
【図３】図１のＡ−Ａ線断面図
【図４】図３のＢ−Ｂ線断面図
【図５】粉体用容器の斜視図
【図６】粉体を計量カップ内に移した状態を示す断面図
【図７】粉体の余剰部分を計量カップ外へ振り払った状態を示す断面図
【符号の説明】
【００４８】
１  容器本体
２  下蓋
３  上蓋
５  計量カップ
６  カップ支持体
１２  下蓋の上壁
１３  下蓋の周側壁
１６  嵌合筒
１７  貫通孔
１９  上蓋の天板
２０  回動軸
２１  隔壁
２２  内部空間
２３  隔離空間
２５  連通口
２６  上蓋の周側壁
２７  取出口
２９  窓
３０  印刷文字
３２  カップ本体
３３  カップ本体の周側壁
３５  外周側壁部分
３６  底面壁
３７  フランジ
３９  スカート
４０  止め孔
４１  突起
４２  受け枠部
４３  外周部
４５  補強部
４６  嵌合軸
４７  係合孔
Ｐ  粉体
【図１】
0003113217.tif 000003
【図２】
0003113217.tif 000004
【図３】
0003113217.tif 000005
【図４】
0003113217.tif 000006
【図５】
0003113217.tif 000007
【図６】
0003113217.tif 000008
【図７】
0003113217.tif 000009